(57)【要約】【課題】無線通信が可能な地点への移動経路をユーザへ提供することを可能にする。【解決手段】無線通信を行い、前記無線通信の通信品質と自装置の位置情報とを、前記無線通信を介して、エリア情報提供装置へ送信し、前記無線通信が可能なエリアを示すエリア情報を、前記無線通信を介して、前記エリア情報提供装置から受信し、通行可能な場所の情報を示す地理的条件に前記エリア情報と前記自装置の前記通信品質とを反映させたエリアマップをエリアマップ記憶部に記憶させ、前記エリアマップに基づいて、前記自装置の現在位置から前記無線通信が可能な前記エリアに含まれる第一の目的地までの、前記第一の経路を抽出して出力する。【選択図】      図１
2020030104.tif 000002
【特許請求の範囲】
【請求項１】
無線通信を行う無線通信部と、
前記無線通信の通信品質と自装置の位置情報とを、前記無線通信を介して、エリア情報提供装置へ送信する通信情報送信部と、
前記無線通信が可能なエリアを示すエリア情報を、前記無線通信を介して、前記エリア情報提供装置から受信するエリア情報受信部と、
通行可能な場所の情報を示す地理的条件に前記エリア情報と前記自装置の前記通信品質とを反映させたエリアマップをエリアマップ記憶部に記憶させるエリアマップ更新部と、
前記エリアマップに基づいて、前記自装置の現在位置から前記無線通信が可能な前記エリアに含まれる第一の目的地までの、第一の経路を抽出して出力する経路情報出力部と
を備えることを特徴とする無線通信装置。
【請求項２】
前記経路情報出力部は、前記無線通信が不能なとき、前記第一の経路の抽出を行う
ことを特徴とする請求項１に記載の無線通信装置。
【請求項３】
前記経路情報出力部は、前記無線通信の可否を、前記無線通信を試みた際の前記無線通信の可否、あるいは、前記エリアマップでの前記無線通信の可否に基づいて判断する
ことを特徴とする請求項２に記載の無線通信装置。
【請求項４】
前記エリア情報受信部は、前記自装置の前記位置情報から所定の範囲内の前記エリア情報を受信する
ことを特徴とする請求項１から請求項３のいずれかに記載の無線通信装置。
【請求項５】
前記経路情報出力部は、さらに、ユーザの要求に応じて、前記ユーザが希望する出発地から前記ユーザが希望する第二の目的地までの第二の経路を、前記エリアマップに基づいて抽出して出力する
ことを特徴とする請求項１から請求項４のいずれかに記載の無線通信装置。
【請求項６】
無線通信を行う無線通信装置から、前記無線通信の通信品質と前記無線通信装置の位置情報とを受信する通信情報受信部と、
前記通信品質と前記位置情報とに基づいて、前記無線通信が可能なエリアを示すエリア情報を生成するエリア情報生成部と、
前記エリア情報を送信するエリア情報送信部と、
前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信する経路送信部と
を備えることを特徴とするエリア情報提供装置。
【請求項７】
請求項１から請求項５のいずれかに記載の無線通信装置と、
前記エリア情報提供装置と
を備えることを特徴とする無線通信システム。
【請求項８】
請求項６に記載のエリア情報提供装置と、
前記無線通信装置と
を備えることを特徴とする無線通信システム。
【請求項９】
無線通信を行い、
前記無線通信の通信品質と自装置の位置情報とを、前記無線通信を介して、エリア情報提供装置へ送信し、
前記無線通信が可能なエリアを示すエリア情報を、前記無線通信を介して、前記エリア情報提供装置から受信し、
通行可能な場所の情報を示す地理的条件に前記エリア情報と前記自装置の前記通信品質とを反映させたエリアマップをエリアマップ記憶部に記憶させ、
前記エリアマップに基づいて、前記自装置の現在位置から前記無線通信が可能な前記エリアに含まれる第一の目的地までの、第一の経路を抽出して出力する
ことを特徴とする無線通信方法。
【請求項１０】
無線通信を行う無線通信装置から、前記無線通信の通信品質と前記無線通信装置の位置情報とを受信し、
前記通信品質と前記位置情報とに基づいて、前記無線通信が可能なエリアを示すエリア情報を生成し、
前記エリア情報を送信し、
前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信する
ことを特徴とするエリア情報提供方法。
【発明の詳細な説明】
【技術分野】
【０００１】
本発明は、無線通信装置、エリア情報提供装置、システム、方法およびプログラムに関する。
【背景技術】
【０００２】
無線通信端末のユーザは、無線通信端末が無線通信サービス圏内にいるか否かを、無線通信端末に表示されている信号強度情報などにより判断することができる。
【０００３】
しかし、無線通信端末の移動先がサービス圏内なのか圏外なのかを、ユーザが事前に把握することは難しい。そのため、ユーザは、移動した先で通信ができないことによって、圏外に移動したことを知ることになる。
【０００４】
特に、無線通信の基地局の設置数が少ないエリア（たとえば、山岳地域や海上など）を移動する場合、ユーザが気付かないうちにサービス圏外へ移動することによって、無線通信端末が通信不能となってしまう可能性がある。
【０００５】
これに対し、特許文献１に記載の方法では、車両の現在位置と電波状態とを車両からセンタへ送信する。そして、車両は、センタから受信した圏外エリアを示す圏外情報と車両の現在位置とに基づいて、車両が圏外エリアに接近しているかどうか判断する。これにより、ユーザは、圏外エリアに接近していることを把握することが可能になる。
【先行技術文献】
【特許文献】
【０００６】
【特許文献１】特開２０１７−０６２６８９号公報
【発明の概要】
【発明が解決しようとする課題】
【０００７】
しかし、特許文献１に記載の方法では、圏外エリアに入った場合に圏内エリアに移動するための方法をユーザに提示することができない。そのため、ユーザは、無線通信端末に表示された圏外エリア情報を見ながら、圏内エリアへ移動するためのルートを自身で判断することになる。
【０００８】
本発明の目的は、無線通信が可能な地点への移動経路をユーザへ提供することを可能にする、無線通信装置、エリア情報提供装置、システム、方法およびプログラムを提供することにある。
【課題を解決するための手段】
【０００９】
上述の問題を解決するために、本発明の一実施形態において、無線通信装置は、無線通信を行う無線通信部と、前記無線通信の通信品質と自装置の位置情報とを、前記無線通信を介して、エリア情報提供装置へ送信する通信情報送信部と、前記無線通信が可能なエリアを示すエリア情報を、前記無線通信を介して、前記エリア情報提供装置から受信するエリア情報受信部と、通行可能な場所の情報を示す地理的条件に前記エリア情報と前記自装置の前記通信品質とを反映させたエリアマップをエリアマップ記憶部に記憶させるエリアマップ更新部と、前記エリアマップに基づいて、前記自装置の現在位置から前記無線通信が可能な前記エリアに含まれる第一の目的地までの、第一の経路を抽出して出力する経路情報出力部とを備えることを特徴とする。
【００１０】
また、本発明の他の実施形態において、エリア情報提供装置は、無線通信を行う無線通信装置から、前記無線通信の通信品質と前記無線通信装置の位置情報とを受信する通信情報受信部と、前記通信品質と前記位置情報とに基づいて、前記無線通信が可能なエリアを示すエリア情報を生成するエリア情報生成部と、前記エリア情報を送信するエリア情報送信部と、前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信する経路送信部とを備えることを特徴とする。
【００１１】
また、本発明の他の実施形態において、無線通信方法は、無線通信を行い、前記無線通信の通信品質と自装置の位置情報とを、前記無線通信を介して、エリア情報提供装置へ送信し、前記無線通信が可能なエリアを示すエリア情報を、前記無線通信を介して、前記エリア情報提供装置から受信し、通行可能な場所の情報を示す地理的条件に前記エリア情報と前記自装置の前記通信品質とを反映させたエリアマップをエリアマップ記憶部に記憶させ、前記エリアマップに基づいて、前記自装置の現在位置から前記無線通信が可能な前記エリアに含まれる第一の目的地までの、第一の経路を抽出して出力することを特徴とする。
【００１２】
また、本発明の他の実施形態において、エリア情報提供方法は、無線通信を行う無線通信装置から、前記無線通信の通信品質と前記無線通信装置の位置情報とを受信し、前記通信品質と前記位置情報とに基づいて、前記無線通信が可能なエリアを示すエリア情報を生成し、前記エリア情報を送信し、前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信することを特徴とする。
【００１３】
また、本発明の他の実施形態において、無線通信プログラムは、コンピュータに、無線通信を行う無線通信機能と、前記無線通信の通信品質と自装置の位置情報とを、前記無線通信を介して、エリア情報提供装置へ送信する通信情報送信機能と、前記無線通信が可能なエリアを示すエリア情報を、前記無線通信を介して、前記エリア情報提供装置から受信するエリア情報受信機能と、通行可能な場所の情報を示す地理的条件に前記エリア情報と前記自装置の前記通信品質とを反映させたエリアマップをエリアマップ記憶部に記憶させるエリアマップ更新機能と、前記エリアマップに基づいて、前記自装置の現在位置から前記無線通信が可能な前記エリアに含まれる第一の目的地までの、第一の経路を抽出して出力する経路情報出力機能とを実現させることを特徴とする。
【００１４】
また、本発明の他の実施形態において、エリア情報提供プログラムは、コンピュータに、無線通信を行う無線通信装置から、前記無線通信の通信品質と前記無線通信装置の位置情報とを受信する通信情報受信機能と、前記通信品質と前記位置情報とに基づいて、前記無線通信が可能なエリアを示すエリア情報を生成するエリア情報生成機能と、前記エリア情報を送信するエリア情報送信機能と、前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信する経路送信機能とを実現させることを特徴とする。
【発明の効果】
【００１５】
本発明の無線通信装置、エリア情報提供装置、システム、方法およびプログラムにより、無線通信が可能な地点への移動経路をユーザへ提供することが可能になる。
【図面の簡単な説明】
【００１６】
【図１】本発明の第一および第二の実施形態の無線通信装置の構成例を示す図である。
【図２】本発明の第一の実施形態の無線通信装置の動作例を示す図である。
【図３】本発明の第二の実施形態の無線通信システムの構成例を示す図である。
【図４】本発明の第二の実施形態のエリア情報提供装置の構成例を示す図である。
【図５】本発明の第二の実施形態の無線通信装置の構成例を示す図である。
【図６】本発明の第二の実施形態の無線通信装置の構成例を示す図である。
【図７】本発明の第二の実施形態の無線通信装置の動作例を示す図である。
【図８】本発明の第二の実施形態のエリア情報提供装置の動作例を示す図である。
【図９】本発明の第三の実施形態の無線通信装置の動作例を示す図である。
【図１０】本発明の第四の実施形態の無線通信装置の構成例を示す図である。
【図１１】本発明の第四の実施形態のエリア情報提供装置の構成例を示す図である。
【図１２】本発明の第四の実施形態の無線通信装置の動作例を示す図である。
【図１３】本発明の第四の実施形態のエリア情報提供装置の動作例を示す図である。
【図１４】本発明の各実施形態のハードウェア構成例を示す図である。
【発明を実施するための形態】
【００１７】
［第一の実施形態］
本発明の第一の実施の形態について説明する。
【００１８】
図１に本実施形態の無線通信装置１０の構成例を示す。本実施形態の無線通信装置１０は、無線通信部１１、通信情報送信部１２、エリア情報受信部１３、エリアマップ更新部１４、エリアマップ記憶部１５および経路情報出力部１６により構成される。
【００１９】
無線通信部１１は、無線通信を行う。通信情報送信部１２は、無線通信の通信品質と自装置の位置情報とを、無線通信を介して、エリア情報提供装置へ送信する。エリア情報受信部１３は、無線通信が可能なエリアを示すエリア情報を、無線通信を介して、エリア情報提供装置から受信する。エリアマップ更新部１４は、通行可能な場所の情報を示す地理的条件にエリア情報と自装置の通信品質とを反映させたエリアマップをエリアマップ記憶部１５に記憶させる。経路情報出力部１６は、エリアマップに基づいて、自装置の現在位置から無線通信が可能なエリアに含まれる第一の目的地までの、第一の経路を抽出して出力する。
【００２０】
このように無線通信装置１０を構成することによって、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００２１】
次に、図２に本実施形態の無線通信装置１０の動作の例を示す。
【００２２】
通信情報送信部１２は、無線通信の通信品質と自装置の位置情報とを、無線通信を介して、エリア情報提供装置へ送信する（ステップＳ１０１）。エリア情報受信部１３は、無線通信が可能なエリアを示すエリア情報を、無線通信を介して、エリア情報提供装置から受信する（ステップＳ１０２）。エリアマップ更新部１４は、通行可能な場所の情報を示す地理的条件にエリア情報と自装置の通信品質とを反映させたエリアマップをエリアマップ記憶部１５に記憶させる（ステップＳ１０３）。経路情報出力部１６は、エリアマップに基づいて、自装置の現在位置から無線通信が可能なエリアに含まれる第一の目的地までの、第一の経路を抽出して出力する（ステップＳ１０４）。
【００２３】
このように動作することによって、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００２４】
以上で説明したように、本発明の第一の実施形態では、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００２５】
［第二の実施形態］
次に、本発明の第二の実施の形態について説明する。本実施形態では、無線通信装置１０について、より具体的に説明する。
【００２６】
まず、図３に本実施形態の無線通信システムの構成例を示す。本実施形態の無線通信システムは、エリア情報提供装置５０と無線通信装置１０（１０Ａ〜１０Ｃ）により構成される。
【００２７】
無線通信装置１０は、無線通信を行う装置である。たとえば、個人が所有する携帯電話端末や、航空機や船舶に搭載された無線通信装置などが無線通信装置１０に相当する。エリア情報提供装置５０は、無線通信装置１０に対して、無線通信が可能なエリアを示すエリア情報を提供する装置である。無線通信装置１０は、無線通信システム内に一台以上存在することが可能である。また、エリア情報提供装置５０についても、無線通信システム内に一台以上存在することが可能である。無線通信システム内にエリア情報提供装置５０が複数存在するとき、たとえば、エリア情報提供装置５０は各々、異なる無線通信方式や使用周波数帯等を担当しても良い。
【００２８】
次に、図４に、本実施形態のエリア情報提供装置５０の構成例を示す。本実施形態のエリア情報提供装置５０は、通信情報受信部５１、エリア情報生成部５２およびエリア情報送信部５３により構成される。
【００２９】
通信情報受信部５１は、無線通信装置１０（１０Ａ〜１０Ｃ）から、無線通信の通信品質と無線通信装置１０の位置情報とを受信する。エリア情報生成部５２は、一台以上の無線通信装置１０の通信品質と位置情報とに基づいて、無線通信が可能なエリアを示すエリア情報を生成する。エリア情報送信部５３は、生成したエリア情報を無線通信装置１０へ送信する。
【００３０】
エリア情報生成部５２は、たとえば、過去所定期間に受信した、一台以上の無線通信装置１０の通信品質と位置情報に基づき、座標軸上あるいは地図上に通信品質をプロットすることで、エリア情報を生成することができる。なお、生成するエリア情報は、地図情報であっても良いし、無線通信が可能なエリアと不能なエリアの境界を示す位置情報であっても良い。また、特許文献１に記載の方法で圏外情報を生成し、圏外でないエリアを無線通信が可能なエリアとしても良い。
【００３１】
次に、図１を用いて、本実施形態の無線通信装置１０の構成例について説明する。
【００３２】
無線通信部１１は、無線通信を行う。無線通信の方式には、３Ｇ（3rd Generation）、ＬＴＥ（Long Term Evolution）、５Ｇ（5th Generation）等、任意の方法を利用可能である。
【００３３】
通信情報送信部１２は、無線通信の通信品質と自装置の位置情報とを、無線通信部１１を介して、エリア情報提供装置５０へ送信する。通信情報送信部１２は、所定時間おきなどの所定のタイミングで、通信品質と位置情報とを送信する。通信情報送信部１２は、さらに、無線通信の方式に関する情報、使用周波数帯の情報、ＣＡ（Carrier Aggregation）の情報等をエリア情報提供装置５０へ送信しても良い。このようにすると、エリア情報提供装置５０は、無線通信の方式、使用周波数帯、ＣＡの状況等に応じたエリア情報を生成して無線通信装置１０へ送信することができる。
【００３４】
通信情報送信部１２は、無線通信の通信品質を、無線通信部１１から取得することができる。通信品質は、たとえば、電波受信レベル、受信信号強度、ＲＳＣＰ（Received Signal Code Power）、ＲＳＲＰ（Reference Signal Received Power）、ＲＳＲＱ（Reference Signal Received Quality）、ＣＮ（Carrier to Noise）比などである。あるいは、通信品質は、無線通信装置１０で表示されているアンテナピクトのアンテナ本数、通信速度、スループット、レイテンシなどであっても良い。
【００３５】
また、通信情報送信部１２は、無線通信装置１０の位置情報を、ＧＮＳＳ（Global Navigation Satellite System）等の衛星測位システムを利用して取得することができる。あるいは、通信情報送信部１２は、ＲＴＴ（Round Trip Time）を使用して測位を行うことも可能である。ＲＴＴによる測位は、無線通信基地局と無線通信装置１０との間のＲＴＴと無線通信基地局の位置に基づいて測位を行う方法である。たとえば、Ｗｉ−Ｆｉ（登録商標）測位などがＲＴＴによる測位に該当するが、測位で使用できる無線通信方式はＷｉ−Ｆｉに限られない。また、通信情報送信部１２が取得する位置情報は、たとえば、緯度経度、高度、標高、ジオイド情報などである。
【００３６】
エリア情報提供装置５０の通信情報受信部５１は、無線通信装置１０の通信情報送信部１２が送信した通信品質および位置情報に基づいて、無線通信が可能なエリアを示すエリア情報を生成する。
【００３７】
エリア情報受信部１３は、無線通信が可能なエリアを示すエリア情報を、無線通信部１１を介して、エリア情報提供装置５０から受信する。エリア情報は、さらに、通信品質を示す指標の値（たとえば受信電界強度の値など）や、通信可能な通信方式やＣＡの情報などを含んでいても良い。また、エリア情報受信部１３は、さらに、標高（ジオイド）や緯度経度などの地形情報を受信しても良い。エリア情報受信部１３は、所定時間おきやユーザから要求されたときなどの所定のタイミングでエリア情報を受信する。なお、エリア情報提供装置５０から受信するエリア情報は、無線通信装置１０の現在位置から所定の範囲内（半径何ｋｍ以内など）の情報であっても良い。
【００３８】
エリアマップ更新部１４は、通行可能な場所の情報を示す地理的条件にエリア情報と自装置の通信品質とを反映させたエリアマップをエリアマップ記憶部１５に記憶させる。より具体的には、エリアマップ更新部１４は、エリアマップ記憶部１５が記憶しているエリアマップに、エリア情報と自装置の通信品質とを反映させる。なお、無線通信が不能な状態の場合にはエリア情報受信部１３がエリア情報を受信できないため、エリアマップ更新部１４は、エリアマップ記憶部１５に記憶されているエリアマップに、自装置の通信品質を反映させる。その結果、エリアマップ記憶部１５が記憶しているエリアマップは、通行可能な場所の情報を示す地理的条件にエリア情報と自装置の通信品質とを反映させたものとなる。
【００３９】
地理的条件は、通行可能な場所を示す情報である。たとえば、一般的なカーナビゲーションシステムの地図データや、徒歩／自転車／公共交通機関などでの通行が可能な場所を示す情報、海上の場合には、通行可能な海域を示す情報などである。なお、無線通信装置１０は、地理的条件をあらかじめ保持しておいても良いし、エリア情報提供装置５０から地理的条件を受信しても良い。
【００４０】
また、図５のように、無線通信装置２０が地理的条件入力部２７を備え、地理的条件入力部２７が、ユーザからの地理的条件の入力を受け付けても良い。ユーザは、たとえば、無線通信装置２０が保持している地図データでは通行可能となっているが、実際には、がけ崩れ、橋の流出、道路陥没などによって通行不能な場所の情報を、地理的条件として地理的条件入力部２７に入力することができる。また、ユーザは、たとえば、無線通信装置２０が保持している地図データにはないが、獣道、私道、ローカルな抜け道のような通行可能な道の情報を、地理的条件として地理的条件入力部２７へ入力することができる。
【００４１】
また、この場合、地理的条件入力部２７が、地理的条件入力部２７により入力された地理的条件をエリア情報提供装置５０へ、無線通信部１１を介して送信しても良い。さらに、他の無線通信装置２０のユーザが入力した地理的条件を、エリア情報受信部１３がエリア情報提供装置５０から、無線通信部１１を介して受信しても良い。
【００４２】
経路情報出力部１６は、エリアマップに基づいて、無線通信装置１０の現在位置から無線通信が可能なエリアに含まれる第一の目的地までの、第一の経路を抽出して出力する。経路情報出力部１６は、無線通信部１１が無線通信を実施しようとして無線通信ができなかった場合や、ユーザから要求があった際に、無線通信装置１０の現在位置から第一の目的地までの、第一の経路を抽出して出力する。
【００４３】
経路情報出力部１６は、無線通信が不能なときに、第一の経路の抽出を行っても良い。経路情報出力部１６は、無線通信の可否を、無線通信部１１が無線通信を試みた際の無線通信の可否、あるいは、エリアマップ記憶部１５に記憶されているエリアマップでの無線通信の可否に基づいて判断することができる。
【００４４】
第一の経路の出力方法には、たとえば、無線通信装置１０の画面に表示した地図に経路情報を表示する、スピーカなどに音声出力する、無線通信装置１０外の他の装置へ出力する等、任意の方法を使用することができる。
【００４５】
また、経路情報出力部１６は、たとえば、無線通信が可能なエリアに含まれ、かつ、第一の経路の距離がより短い地点を、第一の経路の第一の目的地とすることができる。あるいは、経路情報出力部１６は、無線通信が可能なエリアに含まれ、かつ、無線通信装置１０の現在位置からの直線距離がより短い地点を、第一の目的地としても良い。
【００４６】
あるいは、他の無線通信装置１０が存在する位置の情報を含むエリア情報をエリア情報受信部１３が受信し、経路情報出力部１６は、無線通信が可能なエリアに含まれ、かつ、他の無線通信装置１０が存在する地点を、第一の目的地としても良い。ただし、この場合、無線通信装置１０は無線通信が不能な状態のため、無線通信が不能になってからの長時間が経過した場合、他の無線通信装置１０はすでに移動している可能性がある。そのため、無線通信装置１０は、抽出した第一の経路を出力する際に、他の無線通信装置１０がその地点に存在した時刻の情報も出力する等により、移動している可能性をユーザが把握できるようにすると良い。
【００４７】
あるいは、経路情報出力部１６は、天候に関する天候情報に応じて第一の経路の抽出を行っても良い。たとえば、経路情報出力部１６は、無線通信が可能なエリアに含まれ、かつ、天候が比較的良い地点、たとえば、降雨量が少ない地点や天候の回復が見込まれる地点を、第一の目的地としても良い。あるいは、経路情報出力部１６は、天候が比較的良い第一の経路を抽出しても良い。この場合、エリア情報受信部１３が、天候の情報を含むエリア情報をエリア情報提供装置５０から受信しても良いし、無線通信装置１０やエリア情報提供装置５０以外の天候情報提供装置から天候情報を受信しても良い。あるいは、無線通信装置１０が気圧計などの天候情報取得機能を備え、天候情報取得機能が取得した天候情報を経路情報出力部１６が使用しても良い。
【００４８】
また、経路情報出力部１６は、個人プロファイルに応じて第一の経路の抽出を行っても良い。個人プロファイルは、たとえば、年齢、性別、体格、体力情報や、心拍数、最大心拍数、血圧、血中酸素濃度、乳酸値、水分補給率（hydration/dehydration level）といった生体情報などである。図６のように、無線通信装置３０が個人プロファイル入力部３８を備え、個人プロファイル入力部３８がユーザからの個人プロファイルの入力を受け付けても良い。あるいは、個人プロファイル入力部３８が、無線通信装置３０内外の生体情報計測装置から生体情報を受信しても良い。
【００４９】
体力がない人や疲労している人にとっては、移動距離が多少長くなっても高低差が少ない経路の方が望ましい可能性がある。そのため、経路情報出力部１６は、個人プロファイルに応じて、一つ以上の第一の経路（移動距離が短いルートと、高低差が少ないルート、など）を抽出して出力すると良い。このとき、経路情報出力部１６は、第一の経路の情報とともに、各々の第一の経路の難易度の情報を出力しても良い。
【００５０】
なお、経路情報出力部１６は、上述の一つ以上の方法で抽出した一つ以上の第一の経路を出力することができる。
【００５１】
経路情報出力部１６は、第一の経路の追加情報として、第一の目的地までの想定所要時間を出力しても良い。想定所要時間は、第一の経路の距離と移動速度に基づいて算出することができる。
【００５２】
また、経路情報出力部１６は、天候情報に基づいて希望所要時間を算出し、算出した希望所要時間を出力しても良い。たとえば、経路情報出力部１６が、天候が悪化するまでの時間を希望所要時間としてユーザへ提供することで、ユーザは、天候が悪化するまでに到着できる第一の経路を選択することが可能になる。また、経路情報出力部１６は、無線通信装置１０の残バッテリー容量に基づいて希望所要時間を算出しても良い。たとえば、経路情報出力部１６が、残バッテリー容量が所定の割合となるまでの時間を希望所要時間としてユーザへ提供することで、ユーザは、残バッテリー容量が所定の割合となるまでに到着できる第一の経路を選択することが可能になる。
【００５３】
このように無線通信装置１０を構成することによって、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００５４】
次に、図７に、本実施形態の無線通信装置１０の動作例を、また、図８に、本実施形態のエリア情報提供装置５０の動作例を示す。
【００５５】
まず、本実施形態の無線通信装置１０は、所定時間おきなどの所定のタイミングで、無線通信装置１０の通信品質と位置情報とをエリア情報提供装置５０へ送信する（図７のステップＳ２０１）。また、無線通信装置１０は、無線通信装置１０の通信品質をエリアマップ記憶部１５のエリアマップに反映する（ステップＳ２０２）。
【００５６】
無線通信装置１０の通信品質と位置情報とを受信したエリア情報提供装置５０は、一台以上の無線通信装置１０から受信した通信品質と位置情報に基づいて、無線通信が可能なエリアを示すエリア情報を生成する（図８のステップＳ３０１、Ｓ３０２）。
【００５７】
また、エリア情報提供装置５０は、所定時間おきや、無線通信装置１０から要求があったときなどの所定のタイミングで、エリア情報を無線通信装置１０へ送信する（ステップＳ３０３）。エリア情報を受信した無線通信装置１０は、エリア情報をエリアマップ記憶部１５のエリアマップに反映する（図７のステップＳ２０３、Ｓ２０４）。
【００５８】
なお、通信品質と位置情報とをエリア情報提供装置５０へ送信できなかった場合には、無線通信装置１０は、無線通信が可能になるまで通信品質と位置情報とを保持し、無線通信が可能となった際に、保持しておいた通信品質と位置情報とを送信すると良い。
【００５９】
そして、無線通信装置１０は、エリアマップ記憶部１５のエリアマップに基づいて、無線通信装置１０の現在位置から無線通信が可能なエリアに含まれる第一の目的地までの、第一の経路を抽出して出力する（ステップＳ２０５）。無線通信装置１０は、無線通信部１１が無線通信を実施しようとして無線通信ができなかった場合や、ユーザから要求があった際に、第一の経路を抽出して出力する。
【００６０】
このように動作することによって、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００６１】
以上で説明したように、本発明の第二の実施形態では、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００６２】
また、無線通信装置１０がエリアマップを保持しているため、ユーザから要求があった際などに、エリアマップを表示することも可能である。
【００６３】
［第三の実施形態］
次に、本発明の第三の実施の形態について説明する。本実施形態では、さらに、ユーザが希望する出発地からユーザが希望する第二の目的地までの第二の経路を検索する場合について説明する。
【００６４】
まず、図１を用いて本実施形態の無線通信装置１０の構成例について説明する。
【００６５】
本実施形態の経路情報出力部１６は、エリアマップに基づいて、無線通信装置１０の現在位置から無線通信が可能なエリアに含まれる第一の目的地までの、第一の経路を抽出して出力する。また、本実施形態の経路情報出力部１６は、さらに、ユーザの要求に応じて、ユーザが希望する出発地からユーザが希望する第二の目的地までの第二の経路を、エリアマップに基づいて抽出して出力する。なお、出発地は、無線通信装置１０の現在位置であっても良い。
【００６６】
また、経路情報出力部１６は、無線通信装置１０の現在位置を取得する都度や所定のタイミングで、無線通信装置１０の現在位置に応じて、第二の経路を変更しても良い。
【００６７】
また、経路情報出力部１６は、第二の経路を考慮して、第一の経路の抽出を行っても良い。たとえば、経路情報出力部１６は、第二の経路に含まれ、かつ、無線通信が可能なエリアに含まれる地点を第一の目的地として第一の経路を抽出する、などが考えられる。
【００６８】
その他の部分に関しては第二の実施形態と同様のため、説明を省略する。
【００６９】
このように無線通信装置１０を構成することによって、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００７０】
また、本実施形態の無線通信装置１０は、さらに、ユーザが希望する出発地からユーザが希望する第二の目的地までの第二の経路を、エリアマップに基づいて抽出して出力することが可能になる。
【００７１】
次に、図９を用いて、本実施形態の無線通信装置１０の動作例について説明する。本実施形態の無線通信装置１０は、第二の実施形態の無線通信装置１０の動作例（図７）に加えて、図９の動作を行う。図７の動作例については第二の実施形態と同様のため説明を省略する。
【００７２】
無線通信装置１０は、ユーザが希望する出発地およびユーザが希望する第二の目的地の要求を受け付ける（ステップＳ４０１）。そして、無線通信装置１０は、ユーザが希望する出発地からユーザが希望する第二の目的地までの第二の経路を、エリアマップに基づいて抽出して出力する（ステップＳ４０２）。また、無線通信装置１０は、無線通信装置１０の現在位置を取得する都度や所定のタイミングで、現在位置に応じて第二の経路を変更して出力する（ステップＳ４０３）。そして、ユーザから終了要求を受けるなどの終了トリガが発生した場合（ステップＳ４０４でＹＥＳ）、第二の経路の変更を終了し、新たな第二の経路の抽出要求を待つ。
【００７３】
このように動作することによって、無線通信装置１０は、無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００７４】
以上で説明したように、本発明の第三の実施形態では、無線通信装置１０は、
無線通信の通信品質と自装置の位置情報とをエリア情報提供装置へ送信し、無線通信が可能なエリアを示すエリア情報をエリア情報提供装置から受信する。そして、無線通信装置１０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００７５】
また、本実施形態の無線通信装置１０は、さらに、ユーザが希望する出発地からユーザが希望する第二の目的地までの第二の経路を、エリアマップに基づいて抽出して出力することが可能になる。
【００７６】
［第四の実施形態］
次に、本発明の第四の実施の形態について説明する。本実施形態では、第二の経路の抽出をエリア情報提供装置６０が実施する場合について説明する。
【００７７】
まず、図１０に本実施形態の無線通信装置４０の構成例を、図１１に本実施形態のエリア情報提供装置６０の構成例を示す。
【００７８】
無線通信装置４０は、第二の実施形態の無線通信装置１０（図１）の構成例に経路受信部４９を追加した構成である。第二の実施形態の無線通信装置２０（図５）あるいは無線通信装置３０（図６）の構成例に経路受信部４９を追加しても良い。また、エリア情報提供装置６０は、第二の実施形態の無線通信装置４０（図４）の構成例に経路送信部６４を追加した構成である。
【００７９】
無線通信装置４０の経路受信部４９は、ユーザの要求に応じて、ユーザが希望する出発地およびユーザが希望する第二の目的地の情報をエリア情報提供装置６０へ送信する。また、経路受信部４９は、エリア情報提供装置６０が抽出した、ユーザが希望する出発地から第二の目的地までの第二の経路をエリア情報提供装置６０から受信する。なお、ユーザが希望する出発地は無線通信装置４０の現在位置であっても良い。ユーザが希望する出発地が無線通信装置４０の現在位置の場合、経路受信部４９は、ユーザが希望する出発地の情報として無線通信装置４０の現在位置を送信する。
【００８０】
また、無線通信装置４０の経路情報出力部１６は、経路受信部４９がエリア情報提供装置６０から受信した第二の経路を出力する。
【００８１】
エリア情報提供装置６０の経路送信部６４は、ユーザが希望する出発地およびユーザが希望する第二の目的地の情報を無線通信装置４０から受信する。また、経路送信部６４は、ユーザが希望する出発地からユーザが希望する第二の目的地までの第二の経路を、エリア情報提供装置６０が保持する地理的条件に基づいて抽出し、無線通信装置４０へ送信する。また、経路送信部６４は、通信情報受信部５１が無線通信装置４０の現在位置を受信する都度、無線通信装置４０の現在位置からユーザが希望する第二の目的地までの第二の経路を抽出し、無線通信装置４０へ送信しても良い。
【００８２】
また、経路送信部６４は、さらに、第一の経路を抽出して送信することも可能である。この場合、経路送信部６４は、エリア情報生成部５２が生成したエリア情報に基づいて、第二の経路の中から無線通信が不能な箇所を特定する。そして、無線通信が不能な箇所のうち一つ以上の地点から無線通信が可能なエリアに含まれる第一の目的地までの、第一の経路を抽出し、無線通信装置４０へ送信する。
【００８３】
なお、経路送信部６４は、第二の実施形態と同様の地点を第一の目的地とすることができる。たとえば、経路送信部６４は、第一の経路の距離がより短い地点を第一の目的地とすることができる。あるいは、経路送信部６４は、さらに、無線通信装置４０のユーザの個人プロファイルを無線通信装置４０から受信し、個人プロファイルに応じて第一の経路の抽出を行うことができる。あるいは、通信品質の送信元の無線通信装置４０が存在する位置の情報を含むエリア情報をエリア情報生成部５２が生成し、経路送信部６４が、第一の経路の送信先の無線通信装置４０とは異なる無線通信装置が存在する位置を第一の目的地として第一の経路を抽出することもできる。あるいは、経路送信部６４は、さらに、天候情報提供装置から天候に関する天候情報を受信し、天候情報に応じて第一の経路の抽出を行うこともできる。
【００８４】
そして、エリア情報提供装置６０から第一の経路を受信した無線通信装置４０は、ユーザから要求があったときなどの所定のタイミングで、無線通信が不能になる前に受信していた第一の経路を出力（ユーザへ提示）する。このとき、無線通信装置４０は、出発地が現在位置に近い第一の経路を出力すると良い。
【００８５】
その他の部分については第二の実施形態と同様のため、説明を省略する。
【００８６】
このように無線通信装置４０を構成することによって、無線通信装置４０は、無線通信の通信品質と自装置の位置情報とをエリア情報提供装置へ送信し、無線通信が可能なエリアを示すエリア情報をエリア情報提供装置から受信する。そして、無線通信装置４０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００８７】
また、本実施形態では、エリア情報提供装置６０が第二の経路を抽出する。そのため、無線通信装置４０が第二の経路を抽出する場合に比べて無線通信装置４０の処理負荷を軽減することが可能になる。
【００８８】
次に、図１２および図１３を用いて、本実施形態の無線通信装置４０とエリア情報提供装置６０の動作例について説明する。図１２は本実施形態の無線通信装置４０の動作例、図１３は本実施形態のエリア情報提供装置６０の動作例である。
【００８９】
無線通信装置４０は、第二の実施形態の無線通信装置１０の動作例（図７）の動作に加えて図１２の動作を行う。また、エリア情報提供装置６０は、第二の実施形態のエリア情報提供装置５０の動作例（図８）に加えて図１３の動作を行う。図７および図８の動作例については、第二の実施形態と同様のため、説明を省略する。
【００９０】
無線通信装置４０は、ユーザが希望する出発地およびユーザが希望する第二の目的地の要求を受け付ける（図１２のステップＳ５０１）。次に、無線通信装置４０は、出発地と第二の目的地の情報を含む、第二の経路の抽出要求をエリア情報提供装置６０へ送信する（ステップＳ５０２）。
【００９１】
そして、無線通信装置４０は、エリア情報提供装置６０から第二の経路を受信すると、第二の経路を出力する（ステップＳ５０３）。無線通信装置４０は、ユーザから終了要求を受ける等の終了トリガが発生するまで、第二の経路を受信して出力する動作を繰り返す。そして、終了トリガが発生すると（ステップＳ５０４でＹＥＳ）、その旨をエリア情報提供装置６０へ通知し（ステップＳ５０５）、第二の経路の抽出要求の要求待ちに戻る。
【００９２】
エリア情報提供装置６０は、無線通信装置４０から第二の経路の抽出要求を受信すると（図１３のステップＳ６０１）、ユーザが希望する出発地からユーザが希望する第二の目的地までの第二の経路を抽出して無線通信装置４０へ送信する（ステップＳ６０２）。また、エリア情報提供装置６０は、無線通信装置４０から現在位置を受信したとき、現在位置に応じて第二の経路を変更して送信する（ステップＳ６０３）。そして、無線通信装置４０から終了通知を受信する等の終了トリガが発生した場合（ステップＳ６０４でＹＥＳ）、第二の経路の変更を終了し、ユーザからの第二の経路の抽出要求を待つ。
【００９３】
このように動作することによって、無線通信装置４０は、無線通信の通信品質と自装置の位置情報とをエリア情報提供装置へ送信し、無線通信が可能なエリアを示すエリア情報をエリア情報提供装置から受信する。そして、無線通信装置４０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００９４】
以上で説明したように、本発明の第四の実施形態では、無線通信装置４０は、
無線通信の通信品質と自装置の位置情報とをエリア情報提供装置へ送信し、無線通信が可能なエリアを示すエリア情報をエリア情報提供装置から受信する。そして、無線通信装置４０は、地理的条件にエリア情報と自装置の通信品質とを反映させたエリアマップに基づいて、自装置の現在位置から無線通信が可能なエリアに含まれる第一の目的地までの、第一の経路を抽出して出力する。そのため、無線通信が可能な地点への移動経路をユーザへ提供することが可能になる。
【００９５】
また、本実施形態では、エリア情報提供装置６０が第二の経路を抽出する。そのため、無線通信装置４０が第二の経路を抽出する場合に比べて無線通信装置４０の処理負荷を軽減することが可能になる。
【００９６】
［ハードウェア構成例］
上述した本発明の各実施形態における無線通信装置（１０、２０、３０、４０）およびエリア情報提供装置（５０、６０）（以下、無線通信装置等）を、一つの情報処理装置（コンピュータ）を用いて実現するハードウェア資源の構成例について説明する。なお、無線通信装置等は、物理的または機能的に少なくとも二つの情報処理装置を用いて実現してもよい。また、無線通信装置等は、専用の装置として実現してもよい。また、無線通信装置等の一部の機能のみを情報処理装置を用いて実現しても良い。
【００９７】
図１４は、本発明の各実施形態の無線通信装置等を実現可能な情報処理装置のハードウェア構成例を概略的に示す図である。情報処理装置９０は、通信インタフェース９１、入出力インタフェース９２、演算装置９３、記憶装置９４、不揮発性記憶装置９５およびドライブ装置９６を備える。
【００９８】
通信インタフェース９１は、各実施形態の無線通信装置等が、有線あるいは／および無線で外部装置と通信するための通信手段である。なお、無線通信装置等を、少なくとも二つの情報処理装置を用いて実現する場合、それらの装置の間を通信インタフェース９１経由で相互に通信可能なように接続しても良い。
【００９９】
入出力インタフェース９２は、入力デバイスの一例であるキーボードや、出力デバイスとしてのディスプレイ等のマンマシンインタフェースである。
【０１００】
演算装置９３は、汎用のＣＰＵ（Central Processing Unit）やマイクロプロセッサ等の演算処理装置である。演算装置９３は、たとえば、不揮発性記憶装置９５に記憶された各種プログラムを記憶装置９４に読み出し、読み出したプログラムに従って処理を実行することが可能である。
【０１０１】
記憶装置９４は、演算装置９３から参照可能な、ＲＡＭ（Random Access Memory）等のメモリ装置であり、プログラムや各種データ等を記憶する。記憶装置９４は、揮発性のメモリ装置であっても良い。
【０１０２】
不揮発性記憶装置９５は、たとえば、ＲＯＭ（Read Only Memory）、フラッシュメモリ、等の、不揮発性の記憶装置であり、各種プログラムやデータ等を記憶することが可能である。
【０１０３】
ドライブ装置９６は、たとえば、後述する記録媒体９７に対するデータの読み込みや書き込みを処理する装置である。
【０１０４】
記録媒体９７は、たとえば、光ディスク、光磁気ディスク、半導体フラッシュメモリ等、データを記録可能な任意の記録媒体である。
【０１０５】
本発明の各実施形態は、たとえば、図１４に例示した情報処理装置９０により無線通信装置等を構成し、この無線通信装置等に対して、上記各実施形態において説明した機能を実現可能なプログラムを供給することにより実現してもよい。
【０１０６】
この場合、無線通信装置等に対して供給したプログラムを、演算装置９３が実行することによって、実施形態を実現することが可能である。また、無線通信装置等のすべてではなく、一部の機能を情報処理装置９０で構成することも可能である。
【０１０７】
さらに、上記プログラムを記録媒体９７に記録しておき、無線通信装置等の出荷段階、あるいは運用段階等において、適宜上記プログラムが不揮発性記憶装置９５に格納されるよう構成してもよい。なお、この場合、上記プログラムの供給方法は、出荷前の製造段階、あるいは運用段階等において、適当な治具を利用して無線通信装置等内にインストールする方法を採用してもよい。また、上記プログラムの供給方法は、インターネット等の通信回線を介して外部からダウンロードする方法等の一般的な手順を採用してもよい。
【０１０８】
なお、上述する各実施の形態は、本発明の好適な実施の形態であり、本発明の要旨を逸脱しない範囲内において種々変更実施が可能である。
【０１０９】
上記の実施形態の一部または全部は、以下の付記のようにも記載されうるが、以下には限られない。
【０１１０】
（付記１）
無線通信を行う無線通信部と、
前記無線通信の通信品質と自装置の位置情報とを、前記無線通信を介して、エリア情報提供装置へ送信する通信情報送信部と、
前記無線通信が可能なエリアを示すエリア情報を、前記無線通信を介して、前記エリア情報提供装置から受信するエリア情報受信部と、
通行可能な場所の情報を示す地理的条件に前記エリア情報と前記自装置の前記通信品質とを反映させたエリアマップをエリアマップ記憶部に記憶させるエリアマップ更新部と、
前記エリアマップに基づいて、前記自装置の現在位置から前記無線通信が可能な前記エリアに含まれる第一の目的地までの、第一の経路を抽出して出力する経路情報出力部と
を備えることを特徴とする無線通信装置。
【０１１１】
（付記２）
前記経路情報出力部は、前記無線通信が不能なとき、前記第一の経路の抽出を行う
ことを特徴とする付記１に記載の無線通信装置。
【０１１２】
（付記３）
前記経路情報出力部は、前記無線通信の可否を、前記無線通信を試みた際の前記無線通信の可否、あるいは、前記エリアマップでの前記無線通信の可否に基づいて判断する
ことを特徴とする付記２に記載の無線通信装置。
【０１１３】
（付記４）
前記エリア情報受信部は、前記自装置の前記位置情報から所定の範囲内の前記エリア情報を受信する
ことを特徴とする付記１から付記３のいずれかに記載の無線通信装置。
【０１１４】
（付記５）
ユーザからの前記地理的条件の入力を受け付ける地理的条件入力部
をさらに備えることを特徴とする付記１から付記４のいずれかに記載の無線通信装置。
【０１１５】
（付記６）
前記地理的条件入力部は、さらに、入力された前記地理的条件を前記エリア情報提供装置へ送信する
ことを特徴とする付記５に記載の無線通信装置。
【０１１６】
（付記７）
前記第一の目的地は、前記第一の経路の距離がより短い地点である
ことを特徴とする付記１から付記６のいずれかに記載の無線通信装置。
【０１１７】
（付記８）
個人プロファイルの入力を受け付ける個人プロファイル入力部
をさらに備え、
前記個人プロファイルは、年齢、性別、体格、体力情報、生体情報のいずれか一つ以上に関する情報であり、
前記経路情報出力部は、前記個人プロファイルに応じて前記第一の経路の抽出を行う
ことを特徴とする付記１から付記７のいずれかに記載の無線通信装置。
【０１１８】
（付記９）
前記エリア情報は、他の無線通信装置が存在する位置の情報を含み、
前記第一の目的地は、前記他の無線通信装置が存在する地点である
ことを特徴とする付記１から付記８のいずれかに記載の無線通信装置。
【０１１９】
（付記１０）
前記エリア情報受信部は、さらに、天候に関する天候情報を受信し、
前記経路情報出力部は、前記天候情報に応じて、前記第一の経路の抽出を行う
ことを特徴とする付記１から付記９のいずれかに記載の無線通信装置。
【０１２０】
（付記１１）
前記経路情報出力部は、さらに、ユーザの要求に応じて、前記ユーザが希望する出発地から前記ユーザが希望する第二の目的地までの第二の経路を、前記エリアマップに基づいて抽出して出力する
ことを特徴とする付記１から付記１０のいずれかに記載の無線通信装置。
【０１２１】
（付記１２）
前記経路情報出力部は、前記第二の経路に含まれる地点を前記第一の目的地として前記第一の経路を抽出する
ことを特徴とする付記１１に記載の無線通信装置。
【０１２２】
（付記１３）
ユーザの要求に応じて、前記ユーザが希望する出発地から前記ユーザが希望する第二の目的地までの第二の経路を前記エリア情報提供装置から受信する経路受信部
をさらに備え、
前記経路情報出力部は、さらに、前記第二の経路を出力する
ことを特徴とする付記１から付記１０のいずれかに記載の無線通信装置。
【０１２３】
（付記１４）
無線通信を行う無線通信装置から、前記無線通信の通信品質と前記無線通信装置の位置情報とを受信する通信情報受信部と、
前記通信品質と前記位置情報とに基づいて、前記無線通信が可能なエリアを示すエリア情報を生成するエリア情報生成部と、
前記エリア情報を送信するエリア情報送信部と、
前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信する経路送信部と
を備えることを特徴とするエリア情報提供装置。
【０１２４】
（付記１５）
前記第一の目的地は、前記第一の経路の距離がより短い地点である
ことを特徴とする付記１４に記載のエリア情報提供装置。
【０１２５】
（付記１６）
前記経路送信部は、さらに、前記無線通信装置のユーザの、年齢、性別、体格、体力情報、生体情報のいずれか一つ以上に関する情報である個人プロファイルを前記無線通信装置から受信し、前記個人プロファイルに応じて前記第一の経路の抽出を行う
ことを特徴とする付記１４あるいは付記１５に記載のエリア情報提供装置。
【０１２６】
（付記１７）
前記エリア情報は、前記通信品質と前記位置情報との送信元の前記無線通信装置が存在する位置の情報を含み、
前記第一の目的地は、前記第一の経路の送信先の前記無線通信装置とは異なる前記無線通信装置が存在する位置である
ことを特徴とする付記１４から付記１６のいずれかに記載のエリア情報提供装置。
【０１２７】
（付記１８）
前記経路送信部は、さらに、天候情報提供装置から天候に関する天候情報を受信し、前記天候情報に応じて、前記第一の経路の抽出を行う
ことを特徴とする付記１４から付記１７のいずれかに記載のエリア情報提供装置。
【０１２８】
（付記１９）
付記１から付記１３のいずれかに記載の無線通信装置と、
前記エリア情報提供装置と
を備えることを特徴とする無線通信システム。
【０１２９】
（付記２０）
付記１４から付記１８のいずれかに記載のエリア情報提供装置と、
前記無線通信装置と
を備えることを特徴とする無線通信システム。
【０１３０】
（付記２１）
無線通信を行い、
前記無線通信の通信品質と自装置の位置情報とを、前記無線通信を介して、エリア情報提供装置へ送信し、
前記無線通信が可能なエリアを示すエリア情報を、前記無線通信を介して、前記エリア情報提供装置から受信し、
通行可能な場所の情報を示す地理的条件に前記エリア情報と前記自装置の前記通信品質とを反映させたエリアマップをエリアマップ記憶部に記憶させ、
前記エリアマップに基づいて、前記自装置の現在位置から前記無線通信が可能な前記エリアに含まれる第一の目的地までの、第一の経路を抽出して出力する
ことを特徴とする無線通信方法。
【０１３１】
（付記２２）
前記無線通信が不能なとき、前記第一の経路の抽出を行う
ことを特徴とする付記２１に記載の無線通信方法。
【０１３２】
（付記２３）
前記無線通信の可否を、前記無線通信を試みた際の前記無線通信の可否、あるいは、前記エリアマップでの前記無線通信の可否に基づいて判断する
ことを特徴とする付記２２に記載の無線通信方法。
【０１３３】
（付記２４）
前記自装置の前記位置情報から所定の範囲内の前記エリア情報を受信する
ことを特徴とする付記２１から付記２３のいずれかに記載の無線通信方法。
【０１３４】
（付記２５）
ユーザからの前記地理的条件の入力を受け付ける
ことを特徴とする付記２１から付記２４のいずれかに記載の無線通信方法。
【０１３５】
（付記２６）
入力された前記地理的条件を前記エリア情報提供装置へ送信する
ことを特徴とする付記２５に記載の無線通信方法。
【０１３６】
（付記２７）
前記第一の目的地は、前記第一の経路の距離がより短い地点である
ことを特徴とする付記２１から付記２６のいずれかに記載の無線通信方法。
【０１３７】
（付記２８）
個人プロファイルの入力を受け付け、
前記個人プロファイルは、年齢、性別、体格、体力情報、生体情報のいずれか一つ以上に関する情報であり、
前記個人プロファイルに応じて前記第一の経路の抽出を行う
ことを特徴とする付記２１から付記２７のいずれかに記載の無線通信方法。
【０１３８】
（付記２９）
前記エリア情報は、他の無線通信装置が存在する位置の情報を含み、
前記第一の目的地は、前記他の無線通信装置が存在する地点である
ことを特徴とする付記２１から付記２８のいずれかに記載の無線通信方法。
【０１３９】
（付記３０）
天候に関する天候情報を受信し、
前記天候情報に応じて、前記第一の経路の抽出を行う
ことを特徴とする付記２１から付記２９のいずれかに記載の無線通信方法。
【０１４０】
（付記３１）
ユーザの要求に応じて、前記ユーザが希望する出発地から前記ユーザが希望する第二の目的地までの第二の経路を、前記エリアマップに基づいて抽出して出力する
ことを特徴とする付記２１から付記３０のいずれかに記載の無線通信方法。
【０１４１】
（付記３２）
前記第二の経路に含まれる地点を前記第一の目的地として前記第一の経路を抽出する
ことを特徴とする付記３１に記載の無線通信方法。
【０１４２】
（付記３３）
ユーザの要求に応じて、前記ユーザが希望する出発地から前記ユーザが希望する第二の目的地までの第二の経路を前記エリア情報提供装置から受信し、
前記第二の経路を出力する
ことを特徴とする付記２１から付記３０のいずれかに記載の無線通信方法。
【０１４３】
（付記３４）
無線通信を行う無線通信装置から、前記無線通信の通信品質と前記無線通信装置の位置情報とを受信し、
前記通信品質と前記位置情報とに基づいて、前記無線通信が可能なエリアを示すエリア情報を生成し、
前記エリア情報を送信し、
前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信する
ことを特徴とするエリア情報提供方法。
【０１４４】
（付記３５）
前記第一の目的地は、前記第一の経路の距離がより短い地点である
ことを特徴とする付記３４に記載のエリア情報提供方法。
【０１４５】
（付記３６）
前記無線通信装置のユーザの、年齢、性別、体格、体力情報、生体情報のいずれか一つ以上に関する情報である個人プロファイルを前記無線通信装置から受信し、前記個人プロファイルに応じて前記第一の経路の抽出を行う
ことを特徴とする付記３４あるいは付記３５に記載のエリア情報提供方法。
【０１４６】
（付記３７）
前記エリア情報は、前記通信品質と前記位置情報との送信元の前記無線通信装置が存在する位置の情報を含み、
前記第一の目的地は、前記第一の経路の送信先の前記無線通信装置とは異なる前記無線通信装置が存在する位置である
ことを特徴とする付記３４から付記３６のいずれかに記載のエリア情報提供方法。
【０１４７】
（付記３８）
天候情報提供装置から天候に関する天候情報を受信し、前記天候情報に応じて、前記第一の経路の抽出を行う
ことを特徴とする付記３４から付記３７のいずれかに記載のエリア情報提供方法。
【０１４８】
（付記３９）
コンピュータに、
無線通信を行う無線通信機能と、
前記無線通信の通信品質と自装置の位置情報とを、前記無線通信を介して、エリア情報提供装置へ送信する通信情報送信機能と、
前記無線通信が可能なエリアを示すエリア情報を、前記無線通信を介して、前記エリア情報提供装置から受信するエリア情報受信機能と、
通行可能な場所の情報を示す地理的条件に前記エリア情報と前記自装置の前記通信品質とを反映させたエリアマップをエリアマップ記憶部に記憶させるエリアマップ更新機能と、
前記エリアマップに基づいて、前記自装置の現在位置から前記無線通信が可能な前記エリアに含まれる第一の目的地までの、第一の経路を抽出して出力する経路情報出力機能と
を実現させることを特徴とする無線通信プログラム。
【０１４９】
（付記４０）
前記経路情報出力機能は、前記無線通信が不能なとき、前記第一の経路の抽出を行う
ことを特徴とする付記３９に記載の無線通信プログラム。
【０１５０】
（付記４１）
前記経路情報出力機能は、前記無線通信の可否を、前記無線通信を試みた際の前記無線通信の可否、あるいは、前記エリアマップでの前記無線通信の可否に基づいて判断する
ことを特徴とする付記４０に記載の無線通信プログラム。
【０１５１】
（付記４２）
前記エリア情報受信機能は、前記自装置の前記位置情報から所定の範囲内の前記エリア情報を受信する
ことを特徴とする付記３９から付記４１のいずれかに記載の無線通信プログラム。
【０１５２】
（付記４３）
ユーザからの前記地理的条件の入力を受け付ける地理的条件入力機能
をさらにコンピュータに実現させることを特徴とする付記３９から付記４２のいずれかに記載の無線通信プログラム。
【０１５３】
（付記４４）
前記地理的条件入力機能は、さらに、入力された前記地理的条件を前記エリア情報提供装置へ送信する
ことを特徴とする付記４３に記載の無線通信プログラム。
【０１５４】
（付記４５）
前記第一の目的地は、前記第一の経路の距離がより短い地点である
ことを特徴とする付記３９から付記４４のいずれかに記載の無線通信プログラム。
【０１５５】
（付記４６）
個人プロファイルの入力を受け付ける個人プロファイル入力機能
をさらにコンピュータに実現させ、
前記個人プロファイルは、年齢、性別、体格、体力情報、生体情報のいずれか一つ以上に関する情報であり、
前記経路情報出力機能は、前記個人プロファイルに応じて前記第一の経路の抽出を行う
ことを特徴とする付記３９から付記４５のいずれかに記載の無線通信プログラム。
【０１５６】
（付記４７）
前記エリア情報は、他の無線通信装置が存在する位置の情報を含み、
前記第一の目的地は、前記他の無線通信装置が存在する地点である
ことを特徴とする付記３９から付記４６のいずれかに記載の無線通信プログラム。
【０１５７】
（付記４８）
前記エリア情報受信機能は、さらに、天候に関する天候情報を受信し、
前記経路情報出力機能は、前記天候情報に応じて、前記第一の経路の抽出を行う
ことを特徴とする付記３９から付記４７のいずれかに記載の無線通信プログラム。
【０１５８】
（付記４９）
前記経路情報出力機能は、さらに、ユーザの要求に応じて、前記ユーザが希望する出発地から前記ユーザが希望する第二の目的地までの第二の経路を、前記エリアマップに基づいて抽出して出力する
ことを特徴とする付記３９から付記４８のいずれかに記載の無線通信プログラム。
【０１５９】
（付記５０）
前記経路情報出力機能は、前記第二の経路に含まれる地点を前記第一の目的地として前記第一の経路を抽出する
ことを特徴とする付記４９に記載の無線通信プログラム。
【０１６０】
（付記５１）
ユーザの要求に応じて、前記ユーザが希望する出発地から前記ユーザが希望する第二の目的地までの第二の経路を前記エリア情報提供装置から受信する経路受信機能
をさらにコンピュータに実現させ、
前記経路情報出力機能は、さらに、前記第二の経路を出力する
ことを特徴とする付記３９から付記４８のいずれかに記載の無線通信プログラム。
【０１６１】
（付記５２）
コンピュータに、
無線通信を行う無線通信装置から、前記無線通信の通信品質と前記無線通信装置の位置情報とを受信する通信情報受信機能と、
前記通信品質と前記位置情報とに基づいて、前記無線通信が可能なエリアを示すエリア情報を生成するエリア情報生成機能と、
前記エリア情報を送信するエリア情報送信機能と、
前記無線通信装置から出発地と第二の目的地の情報を受信し、前記出発地から第二の目的地までの第二の経路を、通行可能な場所の情報を示す地理的条件に基づいて抽出して前記無線通信装置へ送信し、前記エリア情報に基づいて、前記第二の経路の中から前記無線通信が不能な箇所を特定し、前記無線通信が不能な箇所のうち一つ以上の地点から前記無線通信が可能なエリアに含まれる第一の目的地までの、第一の経路を抽出して前記無線通信装置へ送信する経路送信機能と
を実現させることを特徴とするエリア情報提供プログラム。
【０１６２】
（付記５３）
前記第一の目的地は、前記第一の経路の距離がより短い地点である
ことを特徴とする付記５２に記載のエリア情報提供プログラム。
【０１６３】
（付記５４）
前記経路送信機能は、さらに、前記無線通信装置のユーザの、年齢、性別、体格、体力情報、生体情報のいずれか一つ以上に関する情報である個人プロファイルを前記無線通信装置から受信し、前記個人プロファイルに応じて前記第一の経路の抽出を行う
ことを特徴とする付記５２あるいは付記５３に記載のエリア情報提供プログラム。
【０１６４】
（付記５５）
前記エリア情報は、前記通信品質と前記位置情報との送信元の前記無線通信装置が存在する位置の情報を含み、
前記第一の目的地は、前記第一の経路の送信先の前記無線通信装置とは異なる前記無線通信装置が存在する位置である
ことを特徴とする付記５２から付記５４のいずれかに記載のエリア情報提供プログラム。
【０１６５】
（付記５６）
前記経路送信機能は、さらに、天候情報提供装置から天候に関する天候情報を受信し、前記天候情報に応じて、前記第一の経路の抽出を行う
ことを特徴とする付記５２から付記５５のいずれかに記載のエリア情報提供プログラム。
【符号の説明】
【０１６６】
１０、２０、３０、４０    無線通信装置
１１    無線通信部
１２    通信情報送信部
１３    エリア情報受信部
１４    エリアマップ更新部
１５    エリアマップ記憶部
１６    経路情報出力部
２７    地理的条件入力部
３８    個人プロファイル入力部
４９    経路受信部
５０、６０    エリア情報提供装置
５１    通信情報受信部
５２    エリア情報生成部
５３    エリア情報送信部
６４    経路送信部
９０    情報処理装置
９１    通信インタフェース
９２    入出力インタフェース
９３    演算装置
９４    記憶装置
９５    不揮発性記憶装置
９６    ドライブ装置
９７    記録媒体
【図１】
2020030104.tif 000003
【図２】
2020030104.tif 000004
【図３】
2020030104.tif 000005
【図４】
2020030104.tif 000006
【図５】
2020030104.tif 000007
【図６】
2020030104.tif 000008
【図７】
2020030104.tif 000009
【図８】
2020030104.tif 000010
【図９】
2020030104.tif 000011
【図１０】
2020030104.tif 000012
【図１１】
2020030104.tif 000013
【図１２】
2020030104.tif 000014
【図１３】
2020030104.tif 000015
【図１４】
2020030104.tif 000016